(57)【要約】【課題】  攪拌器の動力として流体モーターを用い、攪拌器と流体モーターと流体駆動装置と循環パイプとを備えてなる攪拌装置であって、攪拌装置が設置してある部屋の雰囲気に発塵等の影響を与えることのない攪拌装置を提供する。【解決手段】  攪拌器の動力として流体モーターを用い、攪拌器と流体モーターと流体駆動装置と循環パイプとを備えてなる攪拌装置であって、攪拌装置が設置してある部屋から仕切られた部屋に流体駆動装置が設置してあることを特徴とする攪拌装置。【選択図】          図１
2007029884.tif 000002
【特許請求の範囲】
【請求項１】
攪拌器の動力として流体モーターを用い、攪拌器と流体モーターと流体駆動装置と循環パイプとを備えてなる攪拌装置であって、攪拌装置が設置してある部屋から仕切られた部屋に流体駆動装置が設置してあることを特徴とする攪拌装置。
【発明の詳細な説明】
【技術分野】
【０００１】
本発明は、流体モーターにより攪拌翼を駆動する攪拌装置に関する。
【背景技術】
【０００２】
攪拌器（攪拌容器、攪拌翼、攪拌翼を回転させる動力等からなる部分）と攪拌器の攪拌翼を回転させる動力を制御する部分からなる攪拌装置において、前記動力は、電力で駆動する電動モーターが通常用いられている。しかし、電動モーターには、発熱による電動モーターの温度上昇を防止するためのファンが装備されており、ファンの回転による発塵が問題となるクリーン度の高い雰囲気中にある攪拌器を有する攪拌装置には用いることは望ましくなかった。攪拌装置としては、電動モーターに代わり、水圧モーター、油圧モーターなどの流体モーター（水車のように流体により回転する力を得るモーター）を用たものが知られている（例えば、特許文献１参照。）。
【０００３】
流体モーターの駆動には、水や油などの流体を加圧して流体モーターに供給する流体駆動装置と、加圧された流体を流体モーターに供給するための循環パイプが必要である。この流体駆動装置は電動モーターにより駆動されるが、攪拌器の外部に設置されるので、攪拌器内の雰囲気が、クリーン度が高い場合においても用いることができる。
【０００４】
しかしながら、攪拌器の外部の雰囲気であって、攪拌器が設置されている部屋の雰囲気として、高いクリーン度が必要な雰囲気であった場合においては、電動モーターを有する流体駆動装置が該部屋の雰囲気に対して発塵するため、上記の流体モーターで攪拌翼を駆動する攪拌器と、攪拌器外部に流体駆動装置を有してなる攪拌装置であっても用いることは望ましくなかった。
【０００５】
【特許文献１】特開平６−２７３５８３号公報
【発明の開示】
【発明が解決しようとする課題】
【０００６】
本発明の目的は、攪拌器の動力として流体モーターを用い、攪拌器と流体モーターと流体駆動装置と循環パイプとを備えてなる攪拌装置であって、攪拌装置が設置してある部屋の雰囲気に発塵等の影響を与えることのない攪拌装置を提供することにある。
【課題を解決するための手段】
【０００７】
本発明者らは、前記課題を解決するため、攪拌器の動力として流体モーターを用い、攪拌器と流体モーターと流体駆動装置と循環パイプとを備えてなる攪拌装置について鋭意検討した結果、攪拌器が設置してある部屋の雰囲気に、発塵等の影響を与える電動モーターを有してなる流体駆動装置が攪拌器が設置してある部屋の中に無い場合に、攪拌器が設置してある部屋の雰囲気に、発塵等の影響を与えることのない攪拌装置となることを見出し、本発明を完成するに至った。
【０００８】
すなわち本発明は、攪拌器の動力として流体モーターを用い、攪拌器と流体モーターと流体駆動装置と循環パイプとを備えてなる攪拌装置であって、攪拌装置が設置してある部屋から仕切られた部屋に流体駆動装置が設置してある攪拌装置を提供する。
【発明の効果】
【０００９】
本発明の攪拌装置は、攪拌装置が設置してある部屋の雰囲気に、発塵等の影響を与えることのない攪拌装置であるので、攪拌装置が設置してある部屋の雰囲気が、高いクリーン度が必要な雰囲気であった場合でも問題なく使用することができるので、本発明は工業的に極めて有用である。
【発明を実施するための最良の形態】
【００１０】
本発明の攪拌装置は、攪拌器の動力として流体モーターを用い、攪拌器と流体モーターと流体駆動装置と循環パイプとを備えてなる攪拌装置であって、攪拌器が設置してある部屋から仕切られた部屋に流体駆動装置が設置してあることを特徴とする。本発明の攪拌装置においては、攪拌器が設置してある部屋から仕切られた部屋に流体駆動装置が設置してあるので、流体駆動装置の動力として電動モーターが用いられていても、電動モーターが攪拌器が設置してある部屋の雰囲気に、発塵等の影響を与えることはないのである。
【００１１】
攪拌器が設置してある部屋から仕切られた部屋に流体駆動装置が設置する。仕切られた部屋の仕切りは、塵埃または雰囲気を実質的に遮断できるものであればよく、金属、木、樹脂等からなる板でも、コンクリート製の壁でも、樹脂製のシートでもよい。
【００１２】
そして、攪拌器と流体駆動装置とは、流体モーターを駆動するための流体を循環流体駆動装置から攪拌器に送るための循環パイプにより接続されている。通常は、流体を攪拌器から流体駆動装置に戻すための循環パイプも用いるが、流体モーターが水圧モーターである場合、水を攪拌器から流体駆動装置に戻さずに、別の装置で用いたり、廃棄するため、循環パイプのうち流体を攪拌器から流体駆動装置に戻すための循環パイプは不要な場合もある。循環パイプは金属、樹脂製の剛直なパイプであっても、強化材入り軟質塩化ビニル製のホース（テトロンブレードホース等）、耐圧ホース、蛇腹構造を有するパイプ等のフレキシブルなパイプであってもよい。
【００１３】
本発明において攪拌器は、少なくとも、攪拌容器と攪拌翼と、該攪拌翼を回転させるための動力を備えてなり、該動力が流体モーターからなる。
攪拌容器は、攪拌する材料を注入するための注入口、注入口に接続された注入管、攪拌操作終了後に液を排出するための排出口、排出口に接続された排出管を備えていてもよい。また、攪拌する材料を加熱するためのヒーターを備えていてもよく、冷却するためのクーリングユニットを備えていてもよく、加熱または冷却するためのジャケット（攪拌容器の周囲に設けられた熱媒体を循環させるための手段。）を備えていてもよい。また、攪拌容器は密閉可能なものでも、常時開放（攪拌容器内部の雰囲気と外気とが連通している場合。）されているものでもよい。
なお、攪拌容器には、攪拌容器内の材料の攪拌だけに用いられる容器のみならず、溶解、析出、反応、熟成等の攪拌を伴うプロセスにも用いることができる容器も含まれる。
【００１４】
攪拌容器の材質は特に限定されるものではなく、ステンレス、アルミニウム、チタン、金属製の容器の内部にガラスライニングしたものなどいずれも用いることができる。
【００１５】
本発明の攪拌装置においては、攪拌時には攪拌翼は流体モーターを動力として回転するよう、流体モーターに接続可能となっている。攪拌翼は特に限定されるものではなく、Ｔ字型、Ｈ字型、スクリュー型、３枚後退翼、アンカー型、各々の型の攪拌翼が１本の軸に複数設置された型のいずれも用いることができる。
【００１６】
本発明において、流体モーターとしては、水圧モーター、油圧モーターのいずれも用いることができる。
【００１７】
流体駆動装置としては、流体モーターを駆動するための媒体（水または油）に圧力をかけて流体モーターに送ることができるものであればよく、通常は電動モーターにより駆動するポンプが用いられる。
【実施例】
【００１８】
以下、本発明を実施例によって詳細に説明するが、本発明はこれらに限定されるものではない。
【００１９】
実施例１
クリーンルーム内に設置した攪拌器の実施例を図１に従って説明する。
攪拌装置は、クリーンルーム９内に設置され、水圧モーター１により攪拌翼２を回転させる攪拌器６と、クリーンルーム９と仕切り１１で仕切られた別の部屋１０に設置され、電動モーターで駆動する水ポンプからなる流体駆動装置８と、該攪拌器６と該流体駆動装置８の間に水を循環させることができる循環パイプ７とからなる。
流体駆動装置８がクリーンルーム９の外にあり、クルーンルーム内の攪拌器６は発塵の少ない水圧モーター１により駆動されるため、攪拌装置によるクリーンルーム９内の発塵が少なくなる。
【図面の簡単な説明】
【００２０】
【図１】実施例１における本発明の攪拌装置を示す図。
【符号の説明】
【００２１】
１    水圧モーター
２    攪拌翼
３    攪拌容器
４    ジャケット
５    排出口
６    攪拌器
７    循環パイプ
８    流体駆動装置
９    攪拌器が設置してある部屋でありクリーンルーム
１０  流体駆動装置が設置してある部屋
１１  仕切り
【図１】
2007029884.tif 000003